(57)【要約】【課題】  簡易な構造によりカバー体を止着するとともに、止着の解除の履歴を簡単に確認することができる遊技機を提供することを課題とする。【解決手段】  本発明を適用した遊技機によれば、遊技機の背面側に配設されるカバー体（機構板）の開放を遊技機の前面側における操作によって行うことにより、不正にカバー体が開放された痕跡を前面側から確認することができる。従って、ガラス枠を開放させたときにカバー体の開放履歴を確認することが可能となり、不正の発見を早めることができる。また、遊技機の前面側におけるガラス枠に覆われる位置に貫通穴を形成することにより、ガラス枠を予め開放させなければカバー体を開放できないようにすることができる。従って、不正にカバー体を開放することを困難とすることができる。【選択図】  図６
2007144230.tif 000002
【特許請求の範囲】
【請求項１】
遊技盤を保持する本体枠の背面側に配設された各種機構部材を背面側から覆うカバー体
を備える遊技機において、
上記本体枠と上記カバー体とを止着する固定部材と、
前面側において開放可能に備えられる開放部材に覆われる位置に穿設され、前面側から
背面側まで連通する貫通穴と、
上記貫通穴において移動可能に収容される連動部材とを具備するとともに、
上記連動部材が上記貫通穴において移動することにより、同連動部材が上記固定部材を
押圧して同固定部材による止着が解除されることを特徴とする遊技機。
【発明の詳細な説明】
【技術分野】
【０００１】
本発明は遊技機に関し、特に、遊技機の背面側に備えられる各種機構部材を背面側から
保護するカバー体が備えられる遊技機に関する。
【背景技術】
【０００２】
従来、この種の遊技機として、背面に備えられるカバー体を鍵により固定することによ
り、各種機構部材を不正から保護するものが知られている（例えば、特許文献１、参照。
）。
【０００３】
かかる構成によれば、カバー体を取り付けた状態で施錠を行うことにより、不正にカバ
ー体を開放することを不可能にすることができるため、各種機構部材を不正から保護する
ことが可能であった。
【特許文献１】特開２００２−１７２２４４号公報
【発明の開示】
【発明が解決しようとする課題】
【０００４】
しかしながら、上述のようにカバー体を止着するために鍵を使用すると、合い鍵を使用
することによって容易にカバー体が開放されるという課題があった。合い鍵によれば、素
早くカバー体を開放させることができる。従って、遊技場の営業時間中においても、管理
者の目が離れた隙にカバー体に保護された各種機構部材のすり替えが行われる不正が行わ
れていた。
【０００５】
カバー体を止着するために鍵を使用すると、部品点数が増加しコストが高くなるという
問題があった。また、樹脂製の本体枠や木製の遊技盤に金属製の鍵が取り付けられるため
、リサイクル性が悪くなるという問題もあった。
【０００６】
本発明は、上記課題にかんがみてなされたもので、低コスト、かつ、カバー体の止着が
素早く解除されない遊技機の提供を目的とする。
【課題を解決するための手段】
【０００７】
上記目的を達成するため、請求項１にかかる発明では、遊技盤を保持する本体枠の背面
側に配設された各種機構部材を背面側から覆うカバー体を備える遊技機において、
上記本体枠と上記カバー体とを止着する固定部材と、前面側において開放可能に備えら
れる開放部材に覆われる位置に穿設され、前面側から背面側まで連通する貫通穴と、上記
貫通穴において移動可能に収容される連動部材とを具備するとともに、上記連動部材が上
記貫通穴において移動することにより、同連動部材が上記固定部材を押圧して同固定部材
による止着が解除される構成としてある。
【０００８】
上記のように構成した請求項１の発明は、遊技機における遊技盤を保持する本体枠の背
面側には各種機構部材が配設され、カバー体が同各種機構部材を背面側から覆う。これに
より、上記各種機構部材を遊技機の背面側から保護することができる。上記本体枠と上記
カバー体とは固定部材によって止着されるため、上記カバー体が不用意に取り外され上記
各種機構部材に不正が加えられることを防止することができる。一方、遊技機の前面側に
は開放可能な開放部材が備えられ、同開放部材に覆われる位置に貫通穴が穿設される。上
記貫通穴の内部には連動部材が収容され、同連動部材は同貫通穴の内部にて移動可能とさ
れる。そして、上記連動部材が上記貫通穴の内部にて移動することにより、同連動部材が
上記固定部材を押圧する。上記固定部材が上記連動部材により押圧されることにより、同
固定部材による上記止着を解除することができる。
【０００９】
このようにすることにより、上記貫通穴における上記遊技機の前面側の開口から操作す
ることにより上記連動部材を移動させることができる。すなわち、上記遊技機の前面側か
ら上記カバー体に対する上記固定部材の上記止着を解除することができる。ただし、上記
貫通穴は上記開放部材の閉鎖時には同開放部材に前面側から覆われることとなる。従って
、上記固定部材の上記止着を解除するためには、上記開放部材の開放と、上記連動部材の
移動とを順に行わなければならず、不正を行う者の手を煩わせることができる。これによ
り、遊技場の営業時間中に管理者の目を盗んで素早く上記カバー体が開放されることを防
止することができる。
【００１０】
すなわち、遊技場の営業時間中に不正の上記カバー体が開放され、上記各種機構部材に
不正が加えられることを防止することができる。一方、上記開放部材を開放させたときに
は、上記貫通穴を前面側から視認することができるため、上記連動部材の状態を簡単に確
認することができる。すなわち、上記連動部材が上記固定部材の上記止着を解除するため
に移動させられているか否かを確認することができるため、上記カバー体の開放履歴を簡
単に確認することができる。
【００１１】
本発明は、上記の構成に限られるものではなく、以下の手段も含むものである。 
【００１２】
手段１
手段１にかかる発明は、請求項１に記載の発明において、上記開放部材は上記本体枠の
前面側に取り付けられる透明板保持枠である構成としてある。
【００１３】
すなわち、上記開放部材の一例として透明板保持枠を適用することができる。ガラス枠
に代表される透明板保持枠によれば、遊技領域に備えられる釘等の調整を行うために毎日
のように開放されるため、上記カバー体の開放履歴を頻繁に確認することができ、上記カ
バー体の不正な開放を早期に発見することができる。また、一般に上記透明板保持枠には
施錠機構が備えられるため、上記カバー体を開放させる作業をより困難とすることができ
る。
【００１４】
手段２
手段２にかかる発明は、請求項１または手段１のいずれかに記載の発明において、上記
貫通穴における前面側の開口を塞ぐ封印シールが貼り付けられる構成としてある。
【００１５】
すなわち、封印シールにより上記貫通穴における前面側の開口を塞ぐことにより、同封
印シールを剥がすか破らない限り、同貫通穴の内部の上記連動部材を移動させることがで
きない。従って、上記連動部材を移動させて上記固定部材の上記止着を解除したことを、
より容易に確認することができる。
【００１６】
手段３
手段３にかかる発明は、手段２に記載の発明において、上記封印シールは上記連動部材
と接着する構成としてある。
【００１７】
すなわち、上記封印シールによって上記貫通穴における前面側の開口を塞ぐとともに、
上記封印シールと上記連動部材とを接着させておくことにより、仮に上記封印シールを剥
がしたり破ったりせずに同連動部材を移動させることができたとしても、同封印シールと
同連動部材とが剥離した痕跡を残すことができる。従って、確実に上記カバー体が開放さ
れたことを発見することができる。
【００１８】
手段４
手段４にかかる発明は、手段３に記載の発明において、上記貫通穴における前面側の開
口の周縁と、上記連動部材における前面側の端部とが同一面上に位置する構成としてある
。
【００１９】
すなわち、上記貫通穴を塞ぐように同貫通穴における前面側の開口の周縁に上記封印シ
ールを貼り付けることにより、これと同一面上に位置する上記連動部材における前面側の
端部にも上記封印シールを接着させることができる。
【００２０】
手段５
手段５にかかる発明は、請求項１または手段１から手段４のいずれかに記載の発明にお
いて、上記カバー体は上記遊技機のメイン基板を収容する制御ボックスを背面側から覆う
構成としてある。
【００２１】
すなわち、メイン基板を収容する制御ボックスを背面側から上記カバー体が保護するこ
とができるため、同制御ボックスが不正に取り外されることを防止することができる。
【００２２】
手段６
手段６にかかる発明は、請求項１または手段１から手段５のいずれかに記載の発明にお
いて、上記カバー体における上記貫通穴の背面側の開口と重なる位置に固定穴を形成する
とともに、 
上記固定部材は、上記固定穴の径よりも広径の後方部分と、同後方部分から前面側に延
設された前方部分とを備え、上記貫通穴の同開口と同固定穴とが重なる状態において、上
記前方部分は背面側から同固定穴を貫通しつつ同貫通穴の内部まで到達し、同内部にて係
止する構成としてある。
【００２３】
すなわち、固定穴が上記カバー体における上記貫通穴の背面側の開口と重なる位置に形
成される。一方、上記固定部材は同固定穴の径よりも広径な後方部分を備え、同後方部分
から前面側に前方部分が延設される。上記貫通穴の同開口と同固定穴とが重なる状態にお
いて、上記前方部分は背面側から同貫通穴の内部まで貫通する。すなわち、上記貫通穴の
背面側の開口と上記固定穴とが重なるため、同貫通穴の内部まで到達した上記前方部分は
同固定穴を貫通する。上記貫通穴の内部まで到達した上記前方部分は同内部にて係止され
るため、上記固定部材を上記貫通穴に対して係止することができる。
【００２４】
すなわち、上記固定部材を背面側から差し込んで上記貫通穴に対して係止させることが
できる。上記カバー体に形成された上記固定穴の径よりも上記固定部材の後方部分は広径
に形成されているため、上記カバー体における上記固定穴の周縁と上記後方部分とが干渉
する。従って、背面側から差し込まれた上記固定部材における上記後方部分よりも背面側
に上記カバー体が移動することを規制することができる。これにより、上記カバー体を上
記本体枠に対して固定しておくことが可能となる。
【００２５】
手段７
手段７にかかる発明は、手段６に記載の発明において、上記前方部分は上記後方部分か
ら前面側に梁状に延設されるとともに、その自由端となる前面側の先端部分は上記貫通穴
の背面側の開口および上記固定穴の径よりも広径に形成され、上記前方部分が上記固定穴
の径方向内側に撓む構成としてある。
【００２６】
すなわち、上記前方部分を上記後方部分から前面側に梁状に延設することにより形成し
、その自由端となる前面側の先端部分を上記貫通穴の背面側の開口および上記固定穴の径
よりも広径に形成する。ただし、梁状の上記前方部分が前面側の先端部分を自由端として
上記固定穴の径方向内側に撓むことができるため、上記固定部材を上記固定穴および上記
貫通穴に対して差し込むことができる。
【００２７】
手段８
手段８にかかる発明は、手段７に記載の発明において、上記貫通穴における背面側の開
口よりも穴径が大きい広径部が同開口に前面側から隣接する部位であって、上記先端部分
が到達する部位に形成される構成としてある。
【００２８】
すなわち、上記貫通穴における背面側の開口に前面側から隣接する広径部に上記先端部
分が到達する。同広径部の穴径は上記貫通穴における背面側の開口よりも広径とされるた
め、同広径部に上記先端部分が到達したとき同先端部分は上記貫通穴の径方向外側に変位
することができる。すなわち、上記固定穴および上記貫通穴の径方向内側に撓んでいた上
記前方部分を原形状に復帰させることができる。上記前方部分が原形状に復帰すると、上
記貫通穴の背面側の開口径よりも広径な上記先端部分が同貫通穴の背面側の同開口よりも
前面側に位置することとなる。従って、上記先端部分を背面側に移動させようとすると、
同先端部分と上記貫通穴における背面側の開口の周縁とが干渉する。すなわち、上記固定
部材が上記貫通穴に対して係止されたこととなり、同固定部材を背面側に引き抜けないよ
うにすることができる。
【００２９】
手段９
手段９にかかる発明は、手段８に記載の発明において、上記貫通穴における背面側の開
口径は上記固定穴の径よりも広径とされており、
同開口径よりも細径、かつ、同固定穴の径よりも広径となる仮止部が上記前方部分にお
ける同貫通穴の同開口に到達する部位に形成される構成としてある。
【００３０】
すなわち、上記貫通穴における背面側の開口径を上記固定穴の径よりも広径とする。一
方、上記前方部分における同貫通穴の同開口に到達する部位に仮止部を形成する。同仮止
部は上記貫通穴における背面側の開口径よりも細径であるとともに、同固定穴の径よりも
広径となるように形成される。すなわち、上記貫通穴における背面側の開口に到達した上
記仮止部は上記固定穴よりも前面側に位置する。さらに、同仮止部の径は同固定穴の穴径
よりも広径であるため、同仮止部を背面側に移動させようとすると、同仮止部と上記固定
穴の周縁とが干渉する。従って、上記固定部材を背面側に引き抜けないようにすることが
できる。すなわち、上記先端部分の上記貫通穴の背面側の開口の周縁に対する干渉と、上
記仮止部の上記固定穴の周縁に対する干渉とにより、上記固定部材を係止することができ
る。
【００３１】
手段１０
手段１０にかかる発明は、手段９に記載の発明において、上記仮止部は梁状に形成され
た上記前方部分から上記貫通穴の径方向外側に向かって突設された突起である構成として
ある。
【００３２】
すなわち、上記仮止部を上記貫通穴の径方向外側に向かって突設された突起により形成
することができる。
【００３３】
手段１１
手段１１にかかる発明は、手段６から手段１０のいずれかに記載の発明において、上記
先端部分には、上記固定穴に上記前方部分が貫通する際に同先端部分と同固定穴の壁面と
を進行方向に対し傾斜して接触させる斜面が形成される構成としてある。
【００３４】
すなわち、上記先端部分に斜面を形成することにより、上記固定穴に上記前方部分が貫
通する際に同先端部分と同固定穴の壁面とを進行方向に対して傾斜して接触させることが
できる。上記固定部材を背面側から前面側に向かって差し込む際に、その進行方向に対し
て傾斜する斜面にて上記固定穴と上記前方部分とを接触させることができるため、同進行
方向に差し込む力から上記前方部分を撓ませる方向の力を生成することができる。従って
、上記固定部材を差し込む際には上記固定部材の上記前方部分を上記貫通穴の径方向内側
に撓ませることができる。
【００３５】
手段１２
手段１２にかかる発明は、手段１１に記載の発明において、上記連動部材における背面
側の端部には、同連動部材が移動するとき上記斜面に前面側から接触する押圧部が形成さ
れる構成としてある。
【００３６】
すなわち、上記貫通穴の内部に収容された上記連動部材における背面側の端部に押圧部
を形成する。この押圧部は上記連動部材が上記貫通穴の内部にて移動するとき上記斜面に
前面側から接触する。すなわち、上記押圧部が上記斜面に前面側から接触することにより
、上記連動部材が移動する力を上記斜面を介して上記先端部分に及ぼすことができる。す
なわち、上記固定部材を背面側に押し出すことができる。その際、上記押圧部は前面側か
ら上記斜面に接触するため、上記固定部材を背面側に押し出そうとする力から上記前方部
分を撓ませる方向の力を生成することができる。すなわち、上記固定部材を背面側に押し
出そうとする力の分力によって、上記前方部分を上記貫通穴の径方向内側に撓ませること
ができる。従って、上記貫通穴における背面側の開口の周縁および上記固定穴の周縁に対
して上記先端部分を干渉させることなく上記固定部材を背面側に押し出すことができる。
【００３７】
手段１３
手段１３にかかる発明は、手段１２に記載の発明において、上記連動部材は、上記押圧
部から前面側に延設され、上記貫通穴の前面側の開口まで到達する柱状のロッドを備える
構成としてある。
【００３８】
すなわち、上記連動部材に柱状のロッドが備えられ、同ロッドは上記押圧部から前面側
に延設され上記貫通穴の前面側の開口まで到達する。すなわち、上記貫通穴の前面側の開
口から上記ロッドを押圧することにより、同ロッドを背面側に移動させ、その押圧力を上
記固定部材に伝えることができる。すなわち、上記遊技機の前面側から上記連動部材を操
作することにより、上記固定部材による止着を解除することができる。
【００３９】
手段１４
手段１４にかかる発明は、手段１３に記載の発明において、上記連動部材は上記ロッド
を前後方向に摺動可能に保持するガイド部を備える構成としてある。
【００４０】
すなわち、上記連動部材に上記ロッドを前後方向に摺動可能に保持するガイド部を形成
することにより、上記ロッドの前後移動を安定したものとすることができる。
【００４１】
手段１５
手段１５にかかる発明は、手段１４に記載の発明において、上記ガイド部と上記ロッド
が破断可能なライナーにより連結される構成としてある。
【００４２】
すなわち、上記ロッドを移動させて上記固定部材による止着を解除することに伴って上
記ライナーが破断されることとなるため、同ライナーの形状を確認することにより上記固
定部材による止着が解除されたか否かを点検することができる。むろん、上記ロッドを押
し込むためには上記ライナーを切断することが必要となるため、さらに不正を行う者を手
間取らせることができる。ただし、上記ライナーが破断された痕跡が認識できればよく、
例えば上記ロッドを押し込む力によって同ライナーが自然に破断させられるようなもので
あっても良い。
【００４３】
手段１６
手段１６にかかる発明は、請求項１または手段１から手段１５のいずれかに記載の発明
において、上記カバー体は上記本体枠に対して回動可能に連結されるとともに、同回動に
おける自由端側に上記固定穴が形成される構成としてある。
【００４４】
すなわち、上記固定穴を自由端側に形成することにより、上記固定部材による止着を解
除しない限り上記カバー体を回動させないようにすることができる。
【００４５】
手段１７
手段１７にかかる発明は、請求項１または手段１から手段１６のいずれかに記載の発明
において、上記カバー体は各種機構部材が取り付けられた機構板である構成としてある。
【００４６】
すなわち、各種機構部材が取り付けられた機構板に対して本発明を適用することも可能
である。
【００４７】
手段１８
手段１８にかかる発明は、手段１３に記載の発明において、上記ロッドの前面側の端部
に、上記貫通穴の径よりもわずかに小さい径とされた押し込み部が同ロッドと一体的に形
成される構成としてある。
【００４８】
すなわち、上記貫通穴の径よりもわずかに小さい径とされた押し込み部を前面側から押
し込んで上記連動部材を背面側に移動させることができる。上記ロッドと上記押し込み部
とは一体的に形成されるため、同押し込み部は同ロッドともに上記貫通穴の内部を移動す
ることとなる。このとき、上記押し込み部は上記貫通穴の径よりもわずかに小さい径とさ
れているため、同押し込み部が同貫通穴の内壁に摺接し、安定して上記連動部材を移動さ
せることができる。
【００４９】
手段１９
手段１９にかかる発明は、手段１２に記載の発明において、上記連動部材は、上記押圧
部から前面側に延設され、上記貫通穴の内部で終端する柱状のロッドを備える構成として
ある。
【００５０】
すなわち、上記ロッドを背面側に押し込むためには上記貫通穴に指等を侵入させる必要
があるため、不正に上記カバー体を開放させる者の手を煩わせることができる。
【００５１】
手段２０
手段２０にかかる発明は、手段１９に記載の発明において、上記貫通穴の径が小さい径
とされる構成としてある。
【００５２】
すなわち、上記貫通穴の径を小さくすることにより、上記貫通穴に指を侵入させて上記
ロッドを背面側に押し込むことを不可能とすることができる。例えば、上記貫通穴の径を
１．５ｃｍ程度とすることにより指の侵入を阻止することができる。さらに、上記貫通穴
の径を１．０ｃｍ，０．５ｃｍ程度としてより確実に指の侵入を阻止しても良い。このよ
うにすることにより、不正に上記カバー体を開放させるためには所定の工具等を必要とな
るため、より不正が行われないようにすることができる。
【００５３】
手段２１
手段２１にかかる発明は、請求項１または手段１から手段２０のいずれかに記載の発明
において、上記本体枠は背面側から外枠に嵌め込まれており、同外枠と同本体枠とを回動
可能に連結するヒンジに近い位置に上記貫通穴が形成される構成としてある。
【００５４】
すなわち、上記外枠と上記本体枠とを回動可能に連結するヒンジに近い位置に上記貫通
穴を形成することにより、同外枠に対して同本体枠を回動させる際の自由端側に上記固定
部材を位置させないようにすることができる。従って、上記外枠に対して上記本体枠を回
動させ、その自由端側に生じる同外枠と同本体枠との隙間から同本体枠の背面側に手を回
したとしても、上記固定部材には手を届かせないようにすることができる。すなわち、上
記本体枠を上記外枠に対してほぼ全開させなければ、上記遊技機の前面側から上記固定部
材に手を加えることを不可能とすることができ、秘密裏に上記カバー体が開放されること
を防止することができる。
【００５５】
手段２２
手段２２にかかる発明は、請求項１または手段１から手段２１のいずれかに記載の発明
において、上記開放部材を上記本体枠とを回動可能に連結するヒンジに近い位置に上記貫
通穴が形成される構成としてある。
【００５６】
すなわち、上記開放部材を上記本体枠とを回動可能に連結するヒンジに近い位置に上記
貫通穴を形成することにより、同本体枠に対して同開放部材を回動させる際の自由端側に
上記固定穴や上記連動部材を位置させないようにすることができる。従って、上記本体枠
に対して上記開放部材を回動させ、その自由端側に生じる同本体枠と同開放部材との隙間
から上記連動部材に手を届かせないようにすることができる。すなわち、上記開放部材を
上記本体枠に対してほぼ全開させなければ、上記連動部材を押し込めないようにすること
ができ、秘密裏に上記カバー体が開放されることを防止することができる。
【００５７】
手段２３
手段２３にかかる発明は、請求項１または手段１から手段２２のいずれかに記載の発明
において、上記本体枠における上記貫通穴が形成される部位は透明に形成される構成とし
てある。
【００５８】
すなわち、上記本体枠における上記貫通穴が形成される部位を透明に形成することによ
り、上記固定部材や上記連動部材の状態を外部から簡単に確認することができる。従って
、不正に上記カバー体が開放されたことを早期に発見することができる。
【００５９】
手段２４
手段２４にかかる発明は、請求項１または手段１から手段２３のいずれかに記載の発明
において、上記遊技機がパチロットであり、パチロットの前後を貫通する上記貫通穴が形
成される構成としてある。
【００６０】
すなわち、パチロットに対しても本発明を同様に適用することができる。
【００６１】
なお、パチロットは、メダルの代わりに一定数のパチンコ球を使用して絵合わせを行う
パチンコ機とスロットマシンの両方の特徴を備えた遊技機である。
【発明の効果】
【００６２】
以上説明したように、請求項１にかかる発明によれば、低コスト、かつ、カバー体の止
着が素早く解除されない遊技機を提供することができる。
【００６３】
手段１にかかる発明によれば、透明板保持枠を開放させない限り、カバー体を開放でき
ないようにすることができる。
【００６４】
手段２にかかる発明によれば、止着の解除の履歴を簡単に確認することができる
手段３にかかる発明によれば、止着の解除の履歴を確実に確認することができる
手段４にかかる発明によれば、連動部材に対しても封印シールを貼り付けることができ
る。
【００６５】
手段５にかかる発明によれば、メイン基板に対して不正が行われることを防止すること
ができる。
【００６６】
手段６にかかる発明によれば、固定部材を止着させることができる。
【００６７】
手段７にかかる発明によれば、固定部材を貫通穴に対して差し込むことができる。
【００６８】
手段８にかかる発明によれば、固定部材を貫通穴に対して係止させることができる。
【００６９】
手段９にかかる発明によれば、固定部材を貫通穴に対して強固に係止させることができ
る。
【００７０】
手段１０にかかる発明によれば、仮止部を簡易な構成により形成することができる。
【００７１】
手段１１にかかる発明によれば、固定部材を貫通穴に対して差し込むことができる。
【００７２】
手段１２にかかる発明によれば、固定部材の係止を連動部材の移動によって解除するこ
とができる。
【００７３】
手段１３にかかる発明によれば、連動部材を遊技機の前面側から操作することができる
。
【００７４】
手段１４にかかる発明によれば、容易に固定部材の係止を連動部材の移動によって解除
することができる。
【００７５】
手段１５にかかる発明によれば、固定部材によるカバー体の止着の解除履歴を容易に確
認することができる。
【００７６】
手段１６にかかる発明によれば、カバー体を回動させて開放することができる。
【００７７】
手段１７にかかる発明によれば、機構板を本体枠に対して止着することができる。
【００７８】
手段１８にかかる発明によれば、連動部材を一体部材として形成することができる。
【００７９】
手段１９にかかる発明によれば、カバー体の不正な開放作業を手間取らせることができ
る。
【００８０】
手段２０にかかる発明によれば、カバー体の開放に特別な工具等を必要とさせることが
できる。
【００８１】
手段２１にかかる発明によれば、秘密裏にカバー体が開放されることを防止することが
できる。
【００８２】
手段２２にかかる発明によれば、秘密裏にカバー体が開放されることを防止することが
できる。
【００８３】
手段２３にかかる発明によれば、固定部材や連動部材の状態を簡単に視認することがで
きる。
【００８４】
手段２４にかかる発明によれば、不正が困難なパチロットを提供することができる。
【発明を実施するための最良の形態】
【００８５】
以下、下記の順序に従って本発明の実施形態を説明する。
（１）パチンコ遊技機の構成：
（２）機構板の封止について：
（３）第二の実施形態：
（４）第三の実施形態：
（５）第四の実施形態：
（６）第五の実施形態：
（７）第六の実施形態：
（８）第七の実施形態：
（９）まとめ：
（１）パチンコ遊技機の構成：
図１は、本発明にかかる遊技機を適用したパチンコ遊技機を前面側から見て示している
。同図において、パチンコ遊技機１の外枠１０は、鋼材をプレス加工あるいは木材枠を組
み合わせて形成されている。この外枠１０は、矩形板状の樹脂製の本体枠２０よりも僅か
に大きいサイズの矩形開口１０ａを有している。この本体枠２０は、矩形開口１０ａの図
に向かって左端にて枢支されており、図示しない回転軸を中心に回動し、外枠１０に対し
て開閉可能かつ着脱可能に装着されている。本体枠２０の上方部分には矩形開口２０ａが
形成されており、同矩形開口２０ａよりも外形がわずかに小さく形成された略板状の遊技
盤３０が同矩形開口２０ａに嵌め込まれている。遊技盤３０は木材で形成されており、矩
形開口２０ａに嵌め込まれることにより本体枠２０に保持される。
【００８６】
遊技盤３０の前面側には遊技領域３１が形成されている。この遊技領域３１には、図示
していないが、多数の釘や、複数の入賞口や、入賞しなかった遊技球をアウト球として回
収するアウト球回収口や、遊技の状況を表示する表示装置などが配設されている。さらに
、遊技盤３０に前面側から対面する樹脂製のガラス枠６０が本体枠２０の左端にて枢支さ
れている。このガラス枠６０には、遊技領域３１を対面して透明なガラス６１が嵌め込ま
れているとともに、ガラス６１の周縁を取り囲むように装飾ランプ６２および上皿６３が
配設されている。パチンコ遊技機１の稼働時にはガラス枠６０が閉じた状態となるが、ガ
ラス６１を介して遊技領域３１を視認することが可能であり、同遊技領域３１における遊
技状態を視認しつつ遊技を行うことができる。また、ガラス枠６０におけるガラス６１以
外の部位を非透明とすることにより、遊技領域３１以外の部分を目隠ししている。
【００８７】
遊技領域３１に配設される釘等は日々調整を行う必要があるため、パチンコ遊技機１の
メンテナンス時にはガラス枠６０を開放させることが可能とされている。ガラス枠６０の
右側にはガラス枠６０の右端と本体枠２０とを固定する施錠装置６４が取り付けられてい
る。従って、同施錠装置６４を解除するための鍵を使用しない限りガラス枠６０を開放さ
せることができないようになっている。なお、ガラス枠６０の下部には上皿６３が備えら
れており、本体枠２０におけるガラス枠６０よりも下方には発射ハンドル４１や下皿７０
等が取り付けられている。
【００８８】
なお、ガラス枠６０は本発明にいう透明板保持枠であり、開放部材に相当する。ただし
、開放部材は本体枠２０に対して開放可能に取り付けられれば良く、ガラス枠６０に限ら
れるものではない。例えば、本体枠２０に対して個別に開放可能に取り付けた上皿６３や
下皿７０や各種装飾部材等を本発明の開放部材として適用しても良い。また、透明板保持
枠は透明板を保持することができれば良く、必ずしも本実施形態のようにガラスを保持す
る必要はない。例えば、透光性を有する合成樹脂を透明板として保持するものであっても
良い。むろん、本実施形態のガラス枠６０のように上皿６３と一体化した部材であるもの
に限られず、上皿６３と別部材であっても良い。さらに、透明板を保持しつつ、下皿７０
や各種装飾部材等と一体化しているものであっても良い。
【００８９】
図２は、本体枠２０とガラス枠６０とを開放させたパチンコ遊技機１を斜めから見て示
している。同図において、本体枠２０は外枠１０に対して上下一対のヒンジ２１により枢
支されており、これと反対側を自由端として回動することが可能となっている。なお、本
体枠２０と外枠１０とが略平行となる状態が閉じた状態であり、この状態にて遊技が行わ
れる。ガラス枠６０は本体枠２０と図示しないヒンジにより連結されており、施錠装置６
４が取り付けられた側を自由端として回動することが可能となっている。なお、本体枠２
０とガラス枠６０とが略平行となる状態が閉じた状態であり、この状態にて遊技が行われ
る。釘の調整等のメンテナンスを行う場合には、同図に示すようにガラス枠６０が前方に
回動される。
【００９０】
このようにガラス枠６０を前方に回動されると、遊技時には目隠しされていた遊技領域
３１以外の部分も視認することが可能となる。そして、本体枠２０におけるガラス枠６０
を前方に回動させることにより視認可能となる位置に前面側から上下一対の封印シール９
１，９１を貼り付けている。封印シール９１，９１は一度剥がすと元の状態に戻すことの
できないシールであり、例えば剥がすことによって破れたり、接着剤の一部が残留して文
字が表示されたりするものを適用することができる。本体枠２０における封印シール９１
，９１が貼り付けられた部位には本体枠２０を前後にわたって貫通する貫通穴９２，９２
がそれぞれ穿設されている。貫通穴９２，９２については後に詳述する。
【００９１】
図３は、パチンコ遊技機１を背面側から見て示している。同図において、パチンコ遊技
機１の背面側にはメイン基板７１と音声ランプ制御基板７４と表示制御基板７５と電源基
板７６と払出発射基板７７とガードユニット接続基板７８とスイッチ基板８６等といった
パチンコ遊技機１を稼働させるために必要な各種基板がそれぞれ基板ボックスに収容され
て取り付けられている。特に、主要な演算処理を行うためのＣＰＵ，ＲＯＭ７３等が実装
されたメイン基板７１が収容された制御ボックス７２は強固に封止されており、同制御ボ
ックス７２を開放して不正を行うことを防止している。音声ランプ制御基板７４と表示制
御基板７５は通気口が形成されたカバー部８２によって背面側から覆われており、制御ボ
ックス７２も同カバー部８２を下方に延設した延設部８２ａにより上部が背面側から覆わ
れている。なお、図示しないがこれらの各種基板は互いにコネクタやケーブルを使用して
接続されている。
【００９２】
また、パチンコ遊技機１の背面側には、上記のような各種基板のほかにタンクレール８
１や遊技球タンク８４や払い出し装置ユニット８３等の遊技球の経路部品も配設されてい
る。払い出し装置ユニット８３は、計数カウンタにより払い出し球をカウントして所定数
の遊技球を払い出す遊技球払い出し機構８３ａ、タンクレール８１からの遊技球を遊技球
払い出し機構８３ａに誘導するカーブ状に設けられた流路８３ｂ等を備えている。遊技球
払い出し機構８３ａは、内蔵するモータの回転により遊技球タンク８４からタンクレール
８１を伝って下方へ流下した遊技球を１個単位で放出することが可能となっている。
【００９３】
以上説明した各種機構部材は本体枠２０や遊技盤３０の背面にそれぞれ個別に取り付け
るようにしても良いし、複数を集合させたユニット部材として取り付けるようにしても良
い。本実施形態においては複数の機構部材を機構板８０に装着し、同機構部材を装着させ
た機構板８０を扉状のユニット部材として本体枠２０の背面側に取り付けている。なお、
機構板８０は本発明にいうカバー体に相当する。
【００９４】
図４は、機構板８０を取り外した状態のパチンコ遊技機１を背面から見て示している。
同図において、機構板８０を取り外すことにより、本体枠２０にはメイン基板７１と音声
ランプ制御基板７４と表示制御基板７５と電源基板７６と払出発射基板７７とガードユニ
ット接続基板７８とが残留する。すなわち、これ以外のカバー部８２と延設部８２ａとタ
ンクレール８１と遊技球タンク８４と払い出し装置ユニット８３とスイッチ基板８６は機
構板８０に対して装着されており、機構板８０を取り外すことにより機構板８０とともに
取り外される。なお、図４においては機構板８０に取り付けられる各種機構部材を説明す
るために機構板８０を取り外した状態のものを示したが、機構板８０は図３の紙面右側に
配設された上下一対のヒンジ８５，８５により回動させることが可能となっている。
【００９５】
図５は、機構板８０を回動させた状態のパチンコ遊技機１を上方から見て示している。
なお、外枠１０が閉じた状態では外枠１０と機構板８０とが干渉して機構板８０を回動さ
せることができないため、破線で示す外枠１０を取り外して機構板８０を回動させている
。同図において、機構板８０を回動させることにより機構板８０に覆われていた部分を背
面側に開放させることができる。従って、図３の状態においてカバー部８２と延設部８２
ａにより背面側から覆われていたメイン基板７１と音声ランプ制御基板７４と表示制御基
板７５を収容する基板ボックス７２等を背面側に開放させることができ、これらに対して
メンテナンス等を行うことができる。しかし、簡単に機構板８０が開放されると、容易に
メイン基板７１や音声ランプ制御基板７４や表示制御基板７５に不正が加えられてしまう
。
【００９６】
なお、特に基板ボックス７２に収容されたメイン基板７１は、主要な処理を行うもので
あり不正の対象とされることが多い。また、基板ボックス７２によってメイン基板７１を
強固に封止しても、基板ボックス７２ごと取り替えられることがあるため、機構板８０を
不正に開放させないようにすることが重要な課題となっている。そこで、本実施形態にお
いては所定の条件においてのみ機構板８０が開放されるようにすることにより、メイン基
板７１や音声ランプ制御基板７４や表示制御基板７５に不正が加えられることを防止して
いる。
【００９７】
（２）機構板の封止について：
機構板８０は、図３に示す上下一対のヒンジ８５により回動可能とされており、同回動
の自由端となる紙面左側の端部を固定することにより不用意に回動することを防止してい
る。具体的には、機構板８０の紙面左端を上下一対の固定部材９０，９０によって止着す
ることにより、紙面左側の端部を固定している。また、固定部材９０，９０による止着を
簡単に解除することができないようにすることにより、不正に機構板８０が開放されるこ
とを防止している。以下そのための構成を説明する。
【００９８】
図６は、パチンコ遊技機１における固定部材９０が取り付けられる位置の水平断面（図
３において破線で示す位置の断面。）を見て示している。同図において、本体枠２０およ
び同本体枠２０に嵌め込まれた遊技盤３０に対して機構板８０が略平行に密着している。
すなわち、機構板８０が閉じられた状態となっており、図３に示すようにメイン基板７１
と音声ランプ制御基板７４と表示制御基板７５とがカバー部８２と延設部８２ａにより背
面側から覆われている。
【００９９】
本体枠２０の前面側には上述の封印シール９１が貼り付けられており、同封印シール９
１の背面側には貫通穴９２が形成されている。貫通穴９２は略円柱形状とされており、本
体枠２０の前面側から背面側にわたって貫通している。貫通穴９２の前面側の開口９２ａ
、および、背面側の開口９２ｂはともに略円形となっている。貫通穴９２は、前面側の開
口９２ａの径が最も大きく形成されており、徐々に径を小さくさせている。そして、貫通
穴９２の内壁面における背面側の端部を径方向内側に屈曲させることにより、貫通穴９２
における背面側の開口９２ｂの径を小さく形成している。なお、貫通穴９２における背面
側の開口９２ｂ以外の部分は同開口９２ｂよりも広径であるため、広径部９２ｃというも
のとする。背面側の開口９２ｂに対して背面側から密着するように機構板８０が延設され
ており、同延設された部位には固定穴８０ａが形成されている。
【０１００】
固定穴８０ａは貫通穴９２における背面側の開口９２ｂの径よりもわずかに細径とされ
ており、図３および図６のように機構板８０を閉じた状態において開口９２ｂと中心を一
致させつつ前後に重なる。固定穴８０ａと開口９２ｂには固定部材９０が差し込まれてい
る。固定部材９０を差し込むことにより、固定部材９０が固定穴８０ａと開口９２ｂとを
互いに拘束し、機構板８０が本体枠２０に対して回動することを防止することができる。
すなわち、機構板８０が回動させられて、メイン基板７１や音声ランプ制御基板７４や表
示制御基板７５等に不正が加えられることを防止している。
【０１０１】
一方、貫通穴９２の内部には連動部材９５が収容されている。連動部材９５における前
面側の端部は本体枠２０の前面側と同一面上に位置するように形成されている。従って、
貫通穴９２を前面側から塞ぐために、本体枠２０の前面における貫通穴９２の前面側の開
口９２ａの周縁に封印シール９１を貼り付けることにより、封印シール９１を連動部材９
５における前面側の端部にも接着させることができる。以下、固定部材９０と連動部材９
５の構成について詳述する。
【０１０２】
図７は、固定部材９０を斜めから見て示している。同図において、固定部材９０は概略
後方部分９０ａと前方部分９０ｂとから構成されている。なお、図６のように固定部材９
０が固定穴８０ａと開口９２ｂに差し込まれた状態において、後方部分９０ａはパチンコ
遊技機１の背面側に位置し、前方部分９０ｂはパチンコ遊技機１の全面側に位置する。後
方部分９０ａは略円盤状に形成されており、その外径は固定穴８０ａと開口９２ｂよりも
大きく形成されている。また、後方部分９０ａの背面側は円形ドーム状に隆起している。
一方、後方部分９０ａの前面は平面状に形成されており、その略中央部から前面側に向か
って四本の柱状部が前方部分９０ｂとして延設されている。
【０１０３】
前方部分９０ｂは後方部分９０ａの前面から垂直に立設された一定幅の略柱状の梁部９
０ｂ２と、同梁部９０ｂ２の先端において径方向外側の幅が広くなるように形成された先
端部分９０ｂ１とを備えている。固定部材９０は全体が合成樹脂の一体成型により形成さ
れているため、梁部９０ｂ２は先端部分９０ｂ１を自由端として所定量撓むことが可能と
なっている。先端部分９０ｂ１には先端から背面側になるにつれて徐々に径方向外側の幅
が広くなるように斜面９０ｂ４が形成されている。幅が最大となる斜面９０ｂ４における
背面側の端部は径方向内側に屈曲させられており、その屈曲面９０ｂ５は梁部９０ｂ２と
直交する。すなわち、屈曲面９０ｂ５と後方部分９０ａとは平行となる。斜面９０ｂ４は
先端方向の端部にて梁部９０ｂ２の内側の面と交差している。梁部９０ｂ２における前後
方向中程には径方向外側に突出する円形ドーム状の仮止部９０ｂ３が形成されている。
【０１０４】
上述のとおり梁部９０ｂ２と仮止部９０ｂ３と斜面９０ｂ４と屈曲面９０ｂ５と前方部
分９０ｂからなる先端部分９０ｂ１は四本設けられており、それぞれが後方部分９０ａの
円心（図中の軸Ａ）を中心として対称な形状とされている。また、先端部分９０ｂ１は後
方部分９０ａの円心を中心とした円弧に沿うように湾曲した形状となっており、斜面９０
ｂ４と屈曲面９０ｂ５とで形成される稜線や、後方部分９０ａの前面と梁部９０ｂ２とで
形成される稜線も後方部分９０ａの中心を直交する軸Ａを中心とした円弧状となる。斜面
９０ｂ４と屈曲面９０ｂ５とで形成される稜線の径は貫通穴９２における背面側の開口９
２ｂよりも大きく、かつ、広径部９２ｃにおける開口９２ｂに隣接する部位の径よりも小
さく形成されている。
【０１０５】
後方部分９０ａの前面と梁部９０ｂ２とで形成される稜線の径は固定穴８０ａの穴径よ
りわずかに小さく形成されている。また、斜面９０ｂ４の先端の稜線の径は、梁部９０ｂ
２の厚み分だけ後方部分９０ａの前面と梁部９０ｂ２とで形成される稜線よりも小さい径
とされている。すなわち、先端部分９０ｂ１の先端の径は固定穴８０ａの穴径よりも小さ
く形成されている。固定部材９０を後方部分９０ａの円心を通る前後方向の軸Ａを中心と
して回転させたときの各仮止部９０ｂ３の頂点の軌道の径は固定穴８０ａの穴径より大き
く、かつ、貫通穴９２の開口９２ｂの径よりも小さく形成されている。
【０１０６】
かかる構成により、図６のように固定部材９０によって機構板８０と本体枠２０とを固
定することができる。すなわち、貫通穴９２の開口９２ｂの径と固定穴８０ａの穴径より
も径が大きく形成された後方部分９０ａと先端部分９０ｂ１によって開口９２ｂの周縁と
固定穴８０ａの周縁とが前後から挟まれるため、開口９２ｂと固定穴８０ａとを互いに離
間させることができない。後方部分９０ａと先端部分９０ｂ１は貫通穴９２の開口９２ｂ
の径と固定穴８０ａの穴径よりも径が大きく形成されているため、両者を離間させようと
すると開口９２ｂの周縁が先端部分９０ｂ１と干渉し、固定穴８０ａの周縁が後方部分９
０ａに干渉するからである。なお、互いに平行な先端部分９０ｂ１における屈曲面９０ｂ
５と後方部分９０ａの前面との距離は、開口９２ｂと固定穴８０ａの厚みの合計とほぼ同
等とされているため、機構板８０と本体枠２０は完全に止着されることとなる。
【０１０７】
むろん、固定部材９０を固定穴８０ａと開口９２ｂに対して移動させようとする場合も
開口９２ｂの周縁と固定穴８０ａの周縁に後方部分９０ａと先端部分９０ｂ１とがそれぞ
れ干渉するため、固定部材９０を前後に抜き取ることは不可能となっている。また、仮止
部９０ｂ３は貫通穴９２の開口９２ｂに到達している。仮止部９０ｂ３の径は固定穴８０
ａの穴径より大きく形成されているため、仮止部９０ｂ３を背面側に移動させようとする
と同仮止部９０ｂ３が固定穴８０ａの周縁に干渉する。すなわち、仮止部９０ｂ３が固定
穴８０ａの周縁に干渉することによっても、固定部材９０が背面側に抜き取られることを
防止することが可能となっている。
【０１０８】
以上のように固定部材９０の前方部分９０ｂを固定穴８０ａと開口９２ｂに差し込むた
めには、固定部材９０の前方部分９０ｂを前面側に配向させ後方部分９０ａの前面が固定
穴８０ａの周縁に当接するまで固定部材９０を強く押し込めばよい。上述のとおり先端部
分９０ｂ１の先端の径は固定穴８０ａの穴径よりも小さく形成されているため、同先端は
固定部材９０を背面側から押し込むことにより固定穴８０ａの内部に入り込むことができ
る。さらに、固定部材９０を前面側に押し込むと固定穴８０ａの周縁と斜面９０ｂ４とが
干渉する。ここで、固定部材９０を押し込む押圧力の方向に対して傾斜する斜面９０ｂ４
にて固定穴８０ａの周縁が接触することにより、斜面９０ｂ４にて固定穴８０ａの周縁を
滑らせつつ固定部材９０を押し進めることができる。
【０１０９】
また、このとき斜面９０ｂ４は内側に押し込まれることとなるため、前方部分９０ｂは
先端部分９０ｂ１を自由端として内側に撓むこととなる。すなわち、固定部材９０をその
まま押し進めることができる。そして、先端部分９０ｂ１が貫通穴９２の開口９２ｂを通
過し広径部９２ｃに到達すると、前方部分９０ｂは原形状に復帰することができる。先端
部分９０ｂ１が同先端部分９０ｂ１よりも径の大きい広径部９２ｃに到達することにより
、先端部分９０ｂ１に対する径方向外側からの干渉が解除されるからである。前方部分９
０ｂが原形状に復帰した状態においては先端部分９０ｂ１の径は貫通穴９２の開口９２ｂ
の開口よりも大きくなるため、上述のとおり機構板８０と本体枠２０とを固定することが
できる。同様に、仮止部９０ｂ３も固定穴８０ａの周縁に干渉して固定部材９０が背面側
に抜き取られることを防止することができる。
【０１１０】
一方、各種機構部材のメンテナンス等を行うときには固定部材９０による止着を解除す
る必要がある。そこで、本発明においては連動部材９５を貫通穴９２に収容させている。
以下、連動部材９５について詳細に説明する。
【０１１１】
図８は、連動部材９５を斜めから見て示している。同図において、連動部材９５は、ロ
ッド９５ｂと位置決め部９５ｃと押圧部９５ｄとからなる可動部材と、ガイド部９５ａと
から構成される合成樹脂部材である。ガイド部９５ａは台形椀状に形成されており、図６
に示すように貫通穴９２の前面側から同貫通穴９２の内部に嵌め込まれる。ガイド部９５
ａは内部が中空とされており、広径となる側は開口している。ガイド部９５ａが貫通穴９
２の内部に嵌め込まれた状態においては、広径となる側が前面側に配向し、細径となる側
が背面側に配向する。
【０１１２】
なお、ガイド部９５ａは貫通穴９２の内部に嵌め込まれた状態で接着剤によって固定さ
れる。また、ガイド部９５ａは貫通穴９２の内壁面に密着するように貫通穴９２の前面側
の形状よりわずかに小さい形状とされている。また、上述のとおりガイド部９５ａが貫通
穴９２の内部に嵌め込まれた状態において、ガイド部９５ａの前面側の端部（広径部）と
、本体枠２０における貫通穴９２の周縁とが同一面上に位置する。ガイド部９５ａにおけ
る細径となる側に底面９５ａ２を形成することにより同細径となる側を閉口させており、
この底面９５ａ２の径方向中央部に円形の案内穴９５ａ１を形成している。
【０１１３】
一方、可動部材は略円柱状のロッド９５ｂを備えており、ロッド９５ｂの径は案内穴９
５ａ１よりわずかに小さく形成されている。ロッド９５ｂにおける軸方向の所定位置には
ロッド９５ｂの一部を広径とした鍔状の位置決め部９５ｃが形成されている。ロッド９５
ｂにおける軸方向の一端には中空とされた円筒状の押圧部９５ｄが延設されている。押圧
部９５ｄの径は略一定とされており、ロッド９５ｂの軸方向先端側が開口させられている
。そして、図６に示すように押圧部９５ｄが形成されない側からロッド９５ｂを前面側に
向かって差し込んでいる。このとき、底面９５ａ２に位置決め部９５ｃが当接するまで差
し込むことにより、ロッド９５ｂの先端がガイド部９５ａの前面側の端部（広径部）、お
よび、本体枠２０における貫通穴９２の周縁と同一面上に位置させることができる。従っ
て、貫通穴９２を塞ぐように封印シール９１を貼り付けることによって、封印シール９１
をガイド部９５ａおよびロッド９５ｂにも貼り付けることが可能となる。
【０１１４】
以上のようにしてロッド９５ｂをガイド部９５ａに差し込むと、押圧部９５ｄは背面側
に配向することとなる。すなわち、押圧部９５ｄは背面側に向かって開口することとなる
。このとき、押圧部９５ｄの先端は固定部材９０の先端部分９０ｂ１に到達せず、所定の
間隔を隔てて先端部分９０ｂ１に対峙する。押圧部９５ｄの径は、先端部分９０ｂ１の前
面側端部の径よりも大きく、かつ、先端部分９０ｂ１の背面側端部の径よりも小さく形成
されている。なお、実際に貫通穴９２に連動部材９５をセッティングするには、予めガイ
ド部９５ａに可動部材を組み合わせておき、同組み合わせられた状態で貫通穴９２に対し
て連動部材９５をセッティングする。そして、その後に前面側から封印シール９１により
貫通穴９２を塞ぎ、背面側から貫通穴９２に固定部材９０を差し込むことによって、機構
板８０を封止する。
【０１１５】
次に、機構板８０の封止を解除する動作について説明する。図９は、機構板８０の封止
が解除される様子を示している。同図において、封印シール９１が剥がされており、連動
部材９５の可動部材が背面側に移動させられている。すなわち、封印シール９１が剥がす
ことにより連動部材９５を前面側に露出させ、ロッド９５ｂを背面側に向かって押し込む
ことにより連動部材９５の可動部材を背面側に移動させている。このとき、ガイド部９５
ａの案内穴９５ａ１がロッド９５ｂに摺接するため、安定してロッド９５ｂを背面側に押
し出すことができる。むろん、封印シール９１を剥がすためには前面側に取り付けられる
ガラス枠６０を予め開放させておく必要がある。また、封印シール９１を破ってロッド９
５ｂを背面側に押し出しても良い。
【０１１６】
一方、可動部材の押圧部９５ｄは背面側に移動するため、固定部材９０の先端部分９０
ｂ１に接近する。さらに、ロッド９５ｂを背面側に押し込むと、押圧部９５ｄが先端部分
９０ｂ１の斜面９０ｂ４に当接して固定部材９０を背面側に移動させようとする押圧力が
固定部材９０に伝播する。しかしながら、先端部分９０ｂ１は屈曲面９０ｂ５にて貫通穴
９２の開口９２ｂの周縁に干渉するため、先端部分９０ｂ１は背面側に移動せず固定部材
９０を背面側に押し出すことができない。ただし、押圧部９５ｄと先端部分９０ｂ１とは
ロッド９５ｂの押圧方向に対して傾斜する斜面９０ｂ４にて接触するため、押圧部９５ｄ
は斜面９０ｂ４を滑りつつ背面側に移動できない先端部分９０ｂ１を径方向内側に押し込
むことができる。
【０１１７】
すなわち、押圧部９５ｄと先端部分９０ｂ１とは斜面９０ｂ４にて接触するため、押圧
部９５ｄに加えられる押圧力の分力により先端部分９０ｂ１を径方向内側に押し込むこと
ができる。上述のとおり先端部分９０ｂ１は梁状の前方部分９０ｂにおける自由端を構成
するため、梁部９０ｂ２が撓んで先端部分９０ｂ１を径方向内側に変位させることができ
る。そして、先端部分９０ｂ１の最大径が貫通穴９２の開口９２ｂの径、および、固定穴
８０ａの穴径よりも小さくなるまでロッド９５ｂを押し込んだところで、先端部分９０ｂ
１は開口９２ｂと固定穴８０ａの周縁と干渉しなくなる。
【０１１８】
一方、固定部材９０を背面側に移動させようとする押圧力は断続的に加えられているた
め、干渉がなくなったところで固定部材９０は背面側に移動することができる。また、梁
部９０ｂ２が撓むことにより仮止部９０ｂ３も径方向内側に変位するため、仮止部９０ｂ
３を固定穴８０ａに干渉させることなく固定部材９０を押し出すことができる。すなわち
、固定部材９０が貫通穴９２から抜き取られ、機構板８０と本体枠２０との止着が解除さ
れる。従って、機構板８０を回動させて各種機構部材メンテナンス等を行うことができる
。
【０１１９】
このようにすることにより、ガラス枠６０を開放させ封印シール９１を剥がすか破らな
い限り、機構板８０と本体枠２０との止着を解除することができないようにすることがで
きる。ガラス枠６０は施錠装置６４を備えており、鍵を有する特定の者しか開放させるこ
とができない。また、仮にガラス枠６０を開放させて固定部材９０による止着を解除する
ことができたとしても、封印シール９１には痕跡が残るため、不正な開放があったことを
すぐに発見することができる。特に、封印シール９１は固定部材９０のロッド９５ｂの前
面側の端部にも接着しているため、ロッド９５ｂが背面側に移動されれば、必ずその痕跡
を封印シール９１に残させることができる。
【０１２０】
また、ガラス枠６０は毎日の調整により開放されるため、同ガラス枠６０を解放させた
ときに視認可能な封印シール９１の状態を確実に確認することができる。このように、パ
チンコ遊技機１の前面側に対する操作に起因して機構板８０を開放させることにより、機
構板８０が不正に開放された痕跡を簡単に確認することができる。むろん、固定部材９０
による止着を解除するためには、ガラス枠６０を開放させ、封印シール９０を剥がし、さ
らに固定部材９０を押し出さなければならず、不正を行う者の手を煩わせることができる
。従って、遊技場の営業中に管理者の目を盗み、素早く機構板８０を開放する不正を防止
することができる。さらに、本発明によれば施錠装置等を追加する必要がないため、合成
樹脂による簡易な構成で機構板８０を封止させることができ、リサイクル性も良くするこ
とができる。
【０１２１】
（３）第二の実施形態：
図１０は、第二の実施形態にかかる連動部材１９５を斜めから見て示している。同図に
おいて、連動部材１９５は一体部材として形成されている。前実施形態と同様にガイド部
１９５ａとロッド１９５ｂとが形成されているが、両者は細い線状のライナー１９５ｆに
よって連結されている。ロッド１９５ｂの前方側端部は広径な円盤状の接着部１９５ｇが
形成されており、封印シールを広く接着することが可能になっている。なお、連動部材１
９５も前実施形態と同様に貫通穴に嵌め込まれ、ガイド部１９５ａを貫通穴の内壁に接着
させることにより取り付けられる。
【０１２２】
このようにすることにより、部品点数を減少させることができる。また、固定部材９０
を抜き取る場合には、前実施形態と同様にロッド１９５ｂを前面側から押し出せばよい。
ロッド１９５ｂを押し出すことにより、ライナー１９５ｆが破断して、そのままロッド１
９５ｂを押し込むことができる。このように、機構板８０と本体枠２０との止着を解除す
るとライナー１９５ｆが破断するため、ここにおいても機構板８０が開放された痕跡を残
すことができる。さらに、封印シールとロッド１９５ｂを接着部１９５ｇにて広く接着さ
せることにより、ロッド１９５ｂが移動させられた痕跡をより明確に視認することができ
る。特に、封印シールを剥がすことなく細い針等によって突き破り、そのままロッド１９
５ｂを背面側に押し込むような不正が行われた場合も、その痕跡を目立たせることができ
る。さらに、連動部材１９５を一体部材として形成できるため、組み付けが容易であるし
、部品点数も減少する。
【０１２３】
（４）第三の実施形態：
図１１は、第三の実施形態にかかる連動部材と固定部材とが貫通穴に取り付けられた状
態を示している。同図において、貫通穴２９２に差し込まれた固定部材２９０の先端部分
２９０ｂ１に押圧部２９５ｄが対峙するように連動部材２９５が貫通穴２９２に収容され
ている。連動部材２９５は押圧部２９５ｄとロッド２９５ｂと押し込み部２９５ｅとから
構成される一体部材となっている。押し込み部２９５ｅはロッド２９５ｂを前面側および
径方向外側に延設することによって形成されており、その径は貫通穴２９２の径よりもわ
ずかに小さくされている。そして、押し込み部２９５ｅの前面側の端部は本体枠２２０の
前面と同一面上に位置されている。
【０１２４】
このように、連動部材２９５の前面側の端部に径が大きい押し込み部２９５ｅを形成す
ることにより、連動部材２９５と封印シール２９１とを広く接着させることができる。従
って、連動部材２９５が移動された痕跡を容易に発見することができる。また、封印シー
ル２９１を使用しない場合であっても、前面側から連動部材２９５の移動状態を視認しや
すくすることができるため、連動部材２９５の状態を容易に発見することができる。
【０１２５】
さらに、押し込み部２９５ｅの径が貫通穴２９２の径よりもわずかに小さくされている
ため、押し込み部２９５ｅが貫通穴２９２の壁面に摺接し、安定して連動部材２９５を背
面側に押し込むことができる。むろん、押し込み部２９５ｅが貫通穴２９２の壁面に干渉
することにより、ロッド２９５ｂが傾いたり、がたついたりすることも防止できる。すな
わち、ロッド２９５ｂを略水平に保つことができ、固定部材２９０における正確な位置に
押圧部２９５ｄを当接させることができる。
【０１２６】
（５）第四の実施形態：
図１２は、第四の実施形態にかかる連動部材と固定部材とが貫通穴に取り付けられた状
態を示している。同図において、固定部材３９０は前実施形態と同様に形成されている。
一方、ロッド３９５ｂは貫通穴３９２の内部にて終端しており、貫通穴３９２の前面側の
開口３９２ａまで到達していない。貫通穴３９２の径は直径１．０ｃｍ程度とされている
。また、本体枠３２０における貫通穴３９２が形成される部位は透明な合成樹脂によって
形成されている。なお、本実施形態において封印シールは貼り付けられていない。
【０１２７】
このようにすることにより、ロッド３９５ｂを前面側から押し込みにくくすることがで
きる。すなわち、ロッド３９５ｂは貫通穴３９２の内部にて終端しており、貫通穴３９２
の径が直径１．０ｃｍ程度と小さく形成されているため、指を貫通穴３９２に入れてロッ
ド３９５ｂを押し込むことが不可能となっている。ロッド３９５ｂを前面側から押し込む
ためには貫通穴３９２よりも細径な工具等が必要となるため、さらに不正を行う者の手を
煩わせることができる。一方、貫通穴３９２を細径とすることによって、連動部材３９５
や固定部材３９０に対する前面側からの視認性が損なわれることとなるが、貫通穴３９２
の壁面を透明に形成することにより同視認性を確保することができる。従って、ガラス枠
３６０を開放させたときに、連動部材３９５や固定部材３９０の状態を前面側から確認す
ることができる。
【０１２８】
（６）第五の実施形態：
図１３は、第五の実施形態にかかる連動部材４９５を斜めから見て示している。同図に
おいて、連動部材４９５は一体部材として形成されている。第二の実施形態と同様にガイ
ド部４９５ａとロッド４９５ｂとが形成され、これらがライナー４９５ｆによって連結さ
れている。ライナー４９５ｆは第二の実施形態よりも太く形成されており、ロッド４９５
ｂを前面側に押し込んでも破断できないようになっている。また、ライナー４９５ｆは連
動部材４９５における前面側の端部に形成されており、封印シールを貼り付けると同封印
シールに接着するか、あるいは封印シールと非常に近い位置に位置することとなる。
【０１２９】
このようにすることにより、ニッパー等によってライナー４９５ｆを切断させるない限
り、ロッド４９５ｂを前面側に押し込まれないようにすることができる。従って、素早く
固定部材による止着が解除されることを防止することができる。また、ライナー４９５ｆ
と封印シールを非常に接近した位置に配置することができるため、封印シールに外観上の
変化を与えることなくライナー４９５ｆのみを切断することを不可能とすることができる
。すなわち、確実に連動部材４９５が移動させられた痕跡を封印シールに残させることが
できる。さらに、連動部材１９５を一体部材として形成できるため、組み付けが容易であ
るし、部品点数も減少する。
【０１３０】
（７）第六の実施形態：
図１４は、第六の実施形態にかかるパチンコ遊技機を上方から見て示している。同図に
おいて、パチンコ遊技機５０１は遊技場に設置されており、幅方向に隣接して球貸機５０
２が備えられている。パチンコ遊技機５０１は外枠５１０を遊技場や設置台に固定するこ
とにより、遊技場に正立した状態で設置されている。本体枠５２０と外枠５１０とはヒン
ジ５２１によって連結されており、同ヒンジ５２１を支点として本体枠５２０は外枠５１
０に対して回動することが可能となっている。一方、機構板５８０が本体枠５２０の背面
側に備えられており、機構板５８０が不用意に回動しないように固定部材５９０によって
止着されている。ここで、固定部材５９０が取り付けられる位置は、本体枠５２０と外枠
５１０とを連結するヒンジ５２１と近い位置となっている。
【０１３１】
このようにすることにより、本体枠５２０を外枠５１０に対して回動させたときの自由
端側に固定部材５９０を位置させないようにすることができる。自由端側に固定部材５９
０が設けられると、本体枠５２０を外枠５１０に対して少し回動させることによって形成
される隙間から手を入れて、固定部材５９０に手を加えることができる。しかし、本実施
形態のような位置に固定部材５９０を止着することによって、本体枠５２０をほぼ全開さ
せない限り固定部材５９０に手が加えられないようにすることができる。従って、遊技場
にて管理者に気付かれることなく、機構板５８０が開放されることを防止することが可能
となっている。
【０１３２】
さらに、本実施形態においてはガラス枠５６０を回動させるための回転軸（紙面左側）
と近い位置に貫通穴５９２が形成されることとなる。従って、固定部材５９０による機構
板５８０の止着を解除するための連動部材もガラス枠５６０の回転軸付近に位置させるこ
とができる。これにより、ガラス枠５６０を少し開放させることによりガラス枠５６０の
回動自由端側に形成される隙間から手を入れても、貫通穴５９２に備えられた連動部材に
手を加えることを不可能とすることができる。すなわち、ガラス枠５６０をほぼ全開させ
ない限り、連動部材を押し込んで機構板５８０の止着を解除することができない。ガラス
枠５６０を全開させることは非常に目立つため、管理者の目を盗んで機構板５８０の止着
が解除されることを防止することができる。
【０１３３】
（８）第七の実施形態：
図１５は、第七の実施形態にかかる遊技機としてのパチロットを斜めから見て示してい
る。同図において、パチロット６０１は、パチンコ遊技機と同様の本体枠６２０の背面側
に備えられる各種機構部材を背面側から保護する機構板６８０を備えている。また、本体
枠６２０の前面側には前面枠６６０が回動可能に支持されている。そして、前面枠６６０
を閉じたときに同前面枠６６０によって覆われる部位に貫通穴６９２，６９２を形成し、
これらを塞ぐように封印シール６９１，６９１を貼り付けている。図示しないが、貫通穴
６９２，６９２の内部にはそれぞれ連動部材を収容させており、同連動部材が移動するこ
とによって取り外し可能な固定部材が機構板６８０を本体枠６２０に対して止着している
。
【０１３４】
このようにすることにより、本発明をパチロットに対しても適用することができる。な
お、パチロット６０１は、パチンコ機とスロットマシンとを融合させたものであり、その
基本構成としては、「複数の識別情報からなる識別情報列を動的表示した後に識別情報を
確定表示する可変表示手段を備え、始動用操作手段（例えば操作レバー）の操作に起因し
て識別情報の動的表示が開始され、停止用操作手段（例えばストップボタン）の操作に起
因して、あるいは、所定時間経過することにより、識別情報の動的表示が停止され、その
停止時の確定識別情報が特定識別情報であることを必要条件として、遊技者に有利な特別
遊技状態を発生させる特別遊技状態発生手段とを備え、遊技媒体として球を使用するとと
もに、上記識別情報の動的表示の開始に際しては所定数の球を必要とし、特別遊技状態の
発生に際しては多くの球が払い出されるように構成されている。
【０１３５】
（９）まとめ：
以上説明したように本発明を適用した遊技機によれば、遊技機の背面側に配設されるカ
バー体（機構板）の開放を遊技機の前面側における操作によって行うことにより、不正に
カバー体が開放された痕跡を前面側から確認することができる。従って、ガラス枠を開放
させたときにカバー体の開放履歴を確認することが可能となり、不正の発見を早めること
ができる。また、遊技機の前面側におけるガラス枠に覆われる位置に貫通穴を形成するこ
とにより、ガラス枠を予め開放させなければカバー体を開放できないようにすることがで
きる。従って、不正にカバー体を開放することを困難とすることができる。
【０１３６】
なお、以上の実施形態においては連動部材を前面側から押圧することにより、固定部材
による止着を解除するものを例示した。しかし、本発明は連動部材が動くことによって固
定部材による止着が解除できれば良く、例えば連動部材が回転することによって固定部材
による止着が解除されるものでも良い。また、貫通穴は遊技機の前面側から背面側わたっ
て貫通していれば良く、本体枠に形成されるものに限られない。例えば、遊技盤に貫通穴
を形成するようにしても良い。その場合、遊技盤に対してカバー体を止着することにより
、間接的に本体枠とカバー体とを止着すれば良い。
【図面の簡単な説明】
【０１３７】
【図１】第一の実施形態にかかるパチンコ遊技機の正面図である。
【図２】第一の実施形態にかかるパチンコ遊技機の斜視図である。
【図３】第一の実施形態にかかるパチンコ遊技機の背面図である。
【図４】第一の実施形態にかかるパチンコ遊技機の背面図である。
【図５】第一の実施形態にかかるパチンコ遊技機の平面図である。
【図６】第一の実施形態にかかるパチンコ遊技機の断面図である。
【図７】第一の実施形態にかかる固定部材の斜視図である。
【図８】第一の実施形態にかかる連動部材の斜視図である。
【図９】第一の実施形態にかかるパチンコ遊技機の断面図である。
【図１０】第二の実施形態にかかる連動部材の斜視図である。
【図１１】第三の実施形態にかかるパチンコ遊技機の断面図である。
【図１２】第四の実施形態にかかるパチンコ遊技機の断面図である。
【図１３】第五の実施形態にかかる連動部材の斜視図である。
【図１４】第六の実施形態にかかるパチンコ遊技機の平面図である。
【図１５】第七の実施形態にかかるパチロットの斜視図である。
【符号の説明】
【０１３８】
１，５０１…パチンコ遊技機
１０…外枠
２０…本体枠
３０…遊技盤
３１…遊技領域
６０…ガラス枠
６１…ガラス
６４…施錠装置
７１…メイン基板
７２…制御ボックス
８０…機構板
８０ａ…固定穴
８２…カバー部
８５…ヒンジ
９０，２９０…固定部材
９０ａ…後方部分
９０ｂ…前方部分
９０ｂ１，２９０ｂ１…先端部分
９０ｂ２…梁部
９０ｂ３…仮止部
９０ｂ４…斜面
９０ｂ５…屈曲面
９１…封印シール
９２，２９２…貫通穴
９２ａ，９２ｂ…開口
９２ｃ…広径部
９５，１９５，２９５…連動部材
９５ａ，１９５ａ…ガイド部
９５ｂ，１９５ｂ，２９５ｂ，３９５ｂ，４９５ｂ…ロッド
９５ｃ…位置決め部
９５ｄ…押圧部
１９５ｆ，４９５ｆ…ライナー
２９０ｂ６…係合部
２９５ｅ…凹部
６０１…パチロット
【図１】
2007144230.tif 000003
【図２】
2007144230.tif 000004
【図３】
2007144230.tif 000005
【図４】
2007144230.tif 000006
【図５】
2007144230.tif 000007
【図６】
2007144230.tif 000008
【図７】
2007144230.tif 000009
【図８】
2007144230.tif 000010
【図９】
2007144230.tif 000011
【図１０】
2007144230.tif 000012
【図１１】
2007144230.tif 000013
【図１２】
2007144230.tif 000014
【図１３】
2007144230.tif 000015
【図１４】
2007144230.tif 000016
【図１５】
2007144230.tif 000017